(57)【要約】【課題】    温水洗浄便座装置のリモコンの使用と連動し、既設のトイレ及び温水洗浄便座装置に対して低コストで付加することが可能で、新たなソフトウエアに対して柔軟に対応しつつ、理想的な快適空間の実現が可能な音響発生装置及びトイレ用洗浄システムを提供することを目的とする。【解決手段】    受信部と、制御部と、音声発生部と、を備え、温水洗浄便座装置のリモコンから前記温水洗浄便座装置に送信される信号を前記受信部において傍受し、前記傍受した信号に基づいて前記音声発生部から音声を発生可能としたことを特徴とする音響発生装置を提供する。【選択図】    図１
2006138112.tif 000002
【特許請求の範囲】
【請求項１】
受信部と、
制御部と、
音声発生部と、
を備え、
温水洗浄便座装置のリモコンから前記温水洗浄便座装置に送信される信号を前記受信部において傍受し、前記傍受した信号に基づいて前記音声発生部から音声を発生可能としたことを特徴とする音響発生装置。
【請求項２】
前記音声発生部は、左右一対のスピーカを有することを特徴とする請求項１記載の音響発生装置。
【請求項３】
前記リモコンを前記一対のスピーカの間に着脱自在に収容可能としたことを特徴とする請求項２記載の音響発生装置。
【請求項４】
前記一対のスピーカの間隔が可変とされたことを特徴とする請求項３記載の音響発生装置。
【請求項５】
操作入力部をさらに備え、
使用者が前記操作入力部を操作することにより、前記音声の発生及び停止を制御可能としたことを特徴とする請求項１〜４のいずれか１つに記載の音響発生装置。
【請求項６】
送信部をさらに備え、
前記送信部は、前記リモコンに信号を送信可能としたことを特徴とする請求項１〜５のいずれか１つに記載の音響発生装置。
【請求項７】
人体を検知する人体検知部をさらに備え、
前記人体検知部が人体を検知すると、音声を発生することを特徴とする請求項１〜６のいずれか１つに記載の音響発生装置。
【請求項８】
前記音声は、前記温水洗浄便座装置の動作、使用方法、設定方法及び操作方法の少なくともいずれかに関する情報を含むことを特徴とする請求項１〜７のいずれか１つに記載の音響発生装置。
【請求項９】
温水洗浄便座装置と、
前記温水洗浄便座装置を制御するリモコンと、
請求項１〜８のいずれか１つに記載の音響発生装置と、
を備えたことを特徴とするトイレ用洗浄システム。
【発明の詳細な説明】
【技術分野】
【０００１】
本発明は、音響発生装置及びトイレ用洗浄システムに関し、より具体的には、トイレに設ける温水洗浄便座装置などのリモコンと連携して音楽や音声ガイドなどの再生を可能とした音響発生装置及びこれを備えたトイレ用洗浄システムに関する。
【背景技術】
【０００２】
人間の生活にとって、トイレは切り離すことができない存在であり、日常生活において大きな位置づけを有する。便器の形式が、いわゆる「和式」から「西洋式」に移り変わり、「水洗式」が導入され、「暖房式便座」や「温水洗浄便座装置」などの革新的な機構が付加されるに伴って、利便性や快適性が向上してきた。
【０００３】
さらに昨今、擬音などを発生させることにより、トイレの使用時や洗浄時に発生する音が外部に漏れることを防ぎ、「音消し」の効果を得るアイディアが開示されている。
【０００４】
また一方で、トイレは、ただ単に用を足すためだけの空間ではなく、快適で心地よく、生活に潤いを与え、癒しの効果も得られる空間となることが望ましい。例えば、家事や育児に勤しむ主婦や会社から疲れて帰ってきた主人などにとっては、彼（彼女）を暖かく迎え入れ、リラックスさせ、疲れを癒し、リフレッシュさせる空間が必要である。この意味では、トイレは、浴室と同様に、他人の干渉を受けることなく一人でリラックスできる空間として最適であるといえる。
【０００５】
例えば、特許文献１には、トイレのドアを自動開閉可能とし、これと連動して照明とともに音響発生器を動作させるトイレ自動化システムが開示されている。  
また、特許文献２には、外部より音声データを入力可能な入力手段と、この音声データを出力可能な出力手段と、を有する便器装置が開示されている。  
また一方、特許文献３には、水洗便器のロータンクのタンクカバーに人体検知センサとスピーカとを設け、人体検知の結果に応じてスピーカからの再生出力を制御するトイレ用音響装置が開示されている。
【特許文献１】特開平８−２２８９６５号公報
【特許文献２】特開２００３−３５５０号公報
【特許文献３】特開２００３−１７６５５９号公報
【発明の開示】
【発明が解決しようとする課題】
【０００６】
しかしながら、このような発想に基づいて便利且つ理想的な快適空間となるトイレを実現しようとした時、技術的ないくつかのブレイクスルーが存在する。まず第一に、便利性や快適性を与える各種の機能は、トイレの基本機能である便器の使用や洗浄動作と連動させることが必要である。また、便器やロータンクなどを新設・交換することなく、既設のトイレに対しても付加的に設置可能であり、しかも低コストであることが望ましい。またさらに、再生する音楽や効果音などのソフトウエアについても、使用者の好みに応じて随時追加・変更できる柔軟性を有することが望ましい。
【０００７】
これらの要求に対して、従来の技術は、いずれも満足な解を与えるものではなかった。
【０００８】
本発明は、かかる課題の認識に基づいてなされたものであり、その目的は、温水洗浄便座装置のリモコンの使用と連動し、既設のトイレ及び温水洗浄便座装置に対して低コストで付加することが可能で、新たなソフトウエアに対して柔軟に対応しつつ、理想的な快適空間の実現が可能な音響発生装置及びトイレ用洗浄システムを提供することにある。
【課題を解決するための手段】
【０００９】
上記課題を解決するために、本発明によれば、受信部と、制御部と、音声発生部と、
を備え、
温水洗浄便座装置のリモコンから前記温水洗浄便座装置に送信される信号を前記受信部において傍受し、前記傍受した信号に基づいて前記音声発生部から音声を発生可能としたことを特徴とする音響発生装置が提供される。
【００１０】
上記構成によれば、温水洗浄便座装置のリモコンの使用と連動し、既設のトイレ及び温水洗浄便座装置に対して低コストで付加することが可能で、新たなソフトウエアに対して柔軟に対応しつつ、理想的な快適空間の実現が可能な音響発生装置を提供できる。
【００１１】
ここで、前記音声発生部は、左右一対のスピーカを有するものとすれば、音響的に有利なトイレ空間において優れたステレオ再生が可能となる。
【００１２】
また、前記リモコンを前記一対のスピーカの間に着脱自在に収容可能とすれば、外観がすっきりとして優れた意匠性が得られるのみならず、使用者の近傍に効率的にステレオ再生空間を形成できるとともに、リモコンから送信される信号の傍受を確実且つ容易に実行できる。
【００１３】
また、前記一対のスピーカの間隔が可変とされたものとすれば、既存の各種のリモコンに対して、その横幅を合わせて外観がすっきりと収容できる。
【００１４】
また、操作入力部をさらに備え、使用者が前記操作入力部を操作することにより、前記音声の発生及び停止を制御可能とすれば、使用者の好みの音楽や効果音などを随時再生、停止させることができる。
【００１５】
また、送信部をさらに備え、前記送信部は、前記リモコンに信号を送信可能とすれば、音響発生装置からの情報をリモコンに送信でき、例えば、使用者が音響発生装置を操作したことを送信したり、または、音響発生装置に設けられた人体検知部の検知情報をリモコンに送信できる。
【００１６】
また、人体を検知する人体検知部をさらに備え、前記人体検知部が人体を検知すると、音声を発生するものとすれば、使用者がトイレに入室すると自動的に音楽や音声ガイドが再生され、快適で便利なトイレ空間を提供できる。
【００１７】
また、前記音声は、前記温水洗浄便座装置の動作、使用方法、設定方法及び操作方法の少なくともいずれかに関する情報を含むものとすれば、使用者は、取り扱い説明書を参照せずに、初期設定や各種の設定の変更操作を容易且つ確実に実行でき便利である。
【００１８】
一方、本発明の他の一態様によれば、温水洗浄便座装置と、前記温水洗浄便座装置を制御するリモコンと、上記のいずれかの音響発生装置と、を備えたことを特徴とするトイレ用洗浄システムが提供される。
【００１９】
上記構成によれば、温水洗浄便座装置のリモコンの使用と連動し、既設のトイレ及び温水洗浄便座装置に対して低コストで付加することが可能で、新たなソフトウエアに対して柔軟に対応しつつ、理想的な快適空間の実現が可能なトイレ用洗浄システムを提供できる。
【発明の効果】
【００２０】
本発明によれば、温水洗浄便座装置などの動作と連動して、各種の音楽や音声ガイドなどを再生可能とし、既設の温水洗浄便座システムに対して低コストで付加でき、新たなソフトウエアに対して柔軟に対応が可能で理想的な快適空間の実現が可能な音響発生装置及びトイレ用洗浄システムを実現することができ、産業上のメリットは多大である。
【発明を実施するための最良の形態】
【００２１】
以下、図面を参照しつつ本発明の実施の形態について説明する。  
図１は、本発明の実施の形態にかかる音響発生装置を備えた水洗トイレの構成を例示する概念図である。
【００２２】
すなわち、この水洗トイレは、水洗便器３００と、その上に付設された温水洗浄便座装置（ＷＬ）５００と、を有する。水洗便器３００の上には、便座４１０と、便蓋４００と、が設置されている。  
温水洗浄便座装置５００は、使用者が便座４１０に座った状態で温水を噴射させて「おしり」などを洗浄することができる装置であり、商標名「ウォシュレット」などとして普及しているものである。温水洗浄便座装置５００には、その他にも例えば、濡れた「おしり」を乾かす「温風乾燥機能」や、便座４１０を暖める「便座暖房機能」を設けることができる。また、使用者の接近を検知して便蓋４００を自動的に開き、使用者がいなくなると便蓋４００を自動的に閉じる「オート開閉機能」を設けることもできる。またさらに、便器３００に洗浄水を流す「自動水洗機能」を、温水洗浄便座装置５００に付加してもよい。つまり、ロータンクやフラッシュバルブの排水機構を動作させるための信号を温水洗浄便座装置５００から出力させて、便器３００に自動的に洗浄水を流すことも可能である。
【００２３】
このような温水洗浄便座装置５００の動作は、リモコン２００により制御可能とされている。すなわち、使用者がリモコン２００を操作すると、その操作内容に応じた信号Ｔｘが温水洗浄便座装置５００に設けられた受信部５１０に送信される。このデータ通信は、例えば、赤外線や電波などを媒体として実施される。温水洗浄便座装置５００は、信号Ｔｘを受け取ると、その内容に応じて洗浄動作や温風乾燥動作などを実施する。例えば、ノズル５２０を矢印Ａの方向に進展させ、その先端から温水を使用者のおしりに向けて噴射する。
【００２４】
そして、本発明によれば、リモコン２００とは別に、音響発生装置１００が設けられている。音響発生装置１００は、リモコン２００が温水洗浄便座装置５００に向けて送信する信号Ｔｘを受信できる位置に設置され、信号Ｔｘを傍受し、その内容に応じて音楽や音声ガイド、あるいは擬音や効果音などを再生する。例えば、使用者がリモコン２００に設けられた「おしり洗浄スイッチ」を押した場合、音響発生装置１００は、リモコン２００から温水洗浄便座装置５００に送信される信号Ｔｘを傍受し、この信号Ｔｘに対応した音楽や効果音、あるいは「おしり洗浄を開始します」などの音声ガイドを再生する。
【００２５】
図２は、本具体例のトイレ用洗浄システムのブロック図である。
【００２６】
すなわち、音響発生装置１００は、制御部１０２と、受信部１０６と、音声発生部１１０と、操作入力部１５０と、を有する。また、リモコン２００は、制御部２０２と、操作入力部２４０と、送信部２０８と、を有する。使用者がリモコン２００の操作入力部２４０のスイッチを操作すると、制御部２０２がその内容を判断し、これに対応して送信部２０８から信号Ｔｘを送信させる。この信号Ｔｘは温水洗浄便座装置５００の受信部５１０に受信され、温水洗浄便座装置５００は指定された動作を実行する。これと同時に、信号Ｔｘは音響発生装置１００の受信部１０６に傍受され、制御部１０２に送られる。制御部１０２は、傍受した信号Ｔｘの内容に応じて所定の音楽、効果音、音声ガイドなどを音声発生部１１０に再生させる。
【００２７】
また一方、音響発生装置１００には操作入力部１５０が設けられており、使用者が操作入力部１５０のスイッチを操作をすることにより、好みの音楽や効果音などを随時再生させることもできる。例えば、使用者がスイッチ操作をすることにより、トイレの小用使用時に発生する水音を消すための水洗洗浄音の擬音を再生することも可能である。
【００２８】
以上説明したように、本実施形態によれば、便器やロータンクあるいは温水洗浄便座システムを交換する必要がなく、既設のトイレ及び既設の温水洗浄便座システムに単に音響発生装置１００を付加するだけで、サウンド機能を有する便利且つ快適なトイレ空間を実現できる。また、本実施形態の音響発生装置１００は、リモコン２００から温水洗浄便座装置５００に送信される信号に連携して自動的に適切な再生動作をする。しかも、音響発生装置１００の付設に伴い、リモコン２００や温水洗浄便座装置５００のハードウエアあるいはソフトウエアの設定などを変更・修正する必要もない。また後に詳述するように、本発明の音響発生装置１００は、使用者の好みに応じて新たな音楽や効果音などを半導体メモリなどに格納し音響発生装置１００にセットすることにより再生可能であり、新たなソフトウエアに対する柔軟性も備える。
【００２９】
次に、本発明の第２の具体例について説明する。  
図３は、本発明の音響発生装置を備えた水洗トイレの第２の具体例を例示する概念図である。なお、図３以降の図面については、既出の図面に関して説明したものと同様の要素には同一の符号を付して詳細な説明は省略する。  
本具体例の場合、リモコン２００と温水洗浄便座装置５００とは、双方向通信をする。すなわち、リモコン２００から温水洗浄便座装置５００に対して制御信号Ｔｘが送信され、一方で、温水洗浄便座装置５００からリモコン２００に対して動作状態や設定状態などを通知するための信号Ｒｘが送信される。例えば、人体検知センサや着座センサによる検知情報や、温水洗浄便座装置５００のノズル５２０の位置、温水ヒータの作動状態、あるいは省電力設定の有無などの情報が信号Ｒｘとしてリモコン２００に送信される。
【００３０】
そして、本具体例においては、温水洗浄便座装置５００からリモコン２００に送信される信号Ｒｘも音響発生装置１００が傍受し、その内容に応じて音楽や効果音あるいは音声ガイドなどを適宜再生する。例えば、温水洗浄便座装置５００に設けられた着座センサ（図示せず）により、使用者が便座４１０に座ったことが検出されたら、温水洗浄便座装置５００はその情報を信号Ｒｘとしてリモコン２００に送信する。音響発生装置１００は、この信号Ｒｘを傍受し、例えば、音楽や効果音あるいは「このトイレは自動音声再生システムを備えています」などの音声ガイドを再生することができる。
【００３１】
図４は、本具体例のトイレ用洗浄システムのブロック図である。  
すなわち、温水洗浄便座装置５００は、送信部５１２を備え、リモコン２００に向けて信号Ｒｘを送信する。リモコン２００は受信部２１０により、この信号Ｒｘを受信して所定の動作を実行する。またこれと同時に、音響発生装置１００の受信部１０６も信号Ｒｘを傍受し、この信号の内容に応じて、音声や効果音などが適宜再生される。
【００３２】
次に、本発明の第３の具体例について説明する。  
図５は、本発明の音響発生装置を備えた水洗トイレの第３の具体例を例示する概念図である。  
また、図６は、本具体例のトイレ用洗浄システムのブロック図である。  
本具体例の場合、音響発生装置１００は、リモコン２００から温水洗浄便座装置５００に送信される信号Ｔｘを傍受する一方で、リモコン２００に対して信号Ｒｙを送信する。この時も、信号Ｔｘ、Ｒｙの送受信は、例えば、赤外線や電波などを媒体として実施可能である。  
一例を挙げると、例えば、音響発生装置１００が使用者により操作された場合、音響発生装置１００は、操作されたことを信号Ｒｙによりリモコン２００に送信する。リモコン２００は、例えばこの信号Ｒｙを受信すると、温水洗浄便座 装置５００に対して、便蓋４００を開かせたり、便座４１０の急速暖房を開始させたり、温水の急速加熱を開始させたりするための信号Ｔｘを送信するようにできる。
【００３３】
また、もうひとつの例として、音響発生装置１００に人体検知センサを設けることができる。  
図７は、音響発生装置１００に人体検知センサ１６０を設けた具体例のブロック図である。  
このようにすると、使用者がトイレに接近したことを人体検知センサ１６０により検知して、音楽や効果音、音声ガイドなどを自動的に再生できる。そしてさらに、音響発生装置１００の送信部１０８からリモコン２００の受信部２１２に信号Ｒｙを送信することにより、使用者の接近を知らせることができる。リモコン２００は、例えばこの信号Ｒｙを受信すると、温水洗浄便座装置５００に対して、便蓋４００を開かせたり、便座４１０の急速暖房を開始させたり、温水の急速加熱を開始させたりするための信号Ｔｘを送信するようにできる。
【００３４】
次に、本発明の第４の具体例について説明する。  
図８は、本発明の音響発生装置を備えた水洗トイレの第４の具体例を例示する概念図である。  
また、図９は、本具体例のトイレ用洗浄システムのブロック図である。  
本具体例の場合、リモコン２００と温水洗浄便座装置５００とは、双方向通信をする。すなわち、リモコン２００から温水洗浄便座装置５００に対して制御信号Ｔｘが送信され、一方で、温水洗浄便座装置５００からリモコン２００に対して動作状態や設定状態などを通知するための信号Ｒｘが送信される。また、音響発生装置１００は、リモコン２００から温水洗浄便座装置５００に送信される信号Ｔｘを傍受し、温水洗浄便座装置５００からリモコン２００に送信される信号Ｒｘを傍受する一方で、リモコン２００に対して信号Ｒｙを送信する。
【００３５】
つまり本具体例は、前述した第２具体例と第３具体例とを組み合わせた構成を有する。  従って、例えば、第２具体例に関して前述したように、温水洗浄便座装置５００に設けられた人体検知センサや着座センサにより、使用者の接近が検出されたら、温水洗浄便座装置５００はその情報を信号Ｒｘとしてリモコン２００に送信する。音響発生装置１００は、この信号Ｒｘを傍受し、例えば、音楽や効果音あるいは「このトイレは自動音声再生システムを備えています」などの音声ガイドを再生することができる。
【００３６】
また一方、本具体例の場合、音響発生装置１００には人体検知センサを設け、温水洗浄便座装置５００には着座センサを設けることができる。  
図１０は、音響発生装置１００に人体検知センサ１６０を設けたブロック図である。
【００３７】
この場合も、温水洗浄便座装置５００からの信号Ｒｘを音響発生装置１００が傍受し、また音響発生装置１００からリモコン２００に信号Ｒｙを送信することにより、それぞれのセンサの情報を共有化できる。  
すなわち、音響発生装置１００の人体検知センサが使用者を検知していない状態でも、温水洗浄便座装置５００の着座センサが使用者を検知している間は、その検知を知らせる信号Ｒｘを音響発生装置１００が傍受することにより、音楽などの再生を続行させることができる。つまり、使用者が着座して静止している状態で、音楽などの再生を続行させることができる。
【００３８】
また逆に、温水洗浄便座装置５００の着座センサが使用者を検知していない状態でも、音響発生装置１００の人体検知センサが使用者を検知している間は、音響発生装置１００からリモコンに送信される信号Ｒｙによりリモコン２００が使用者の存在を認知して便蓋４００を開状態とするための信号Ｔｘを温水洗浄便座装置５００に送信できる。つまり、使用者が便器の前に立った状態で、便蓋４００が開いた状態を維持できる。
【００３９】
以上、図１乃至図１０を参照しつつ、本発明の実施の形態について説明した。  
以下、具体例を参照しつつ、本発明の実施の形態についてさらに詳細に説明する。
【００４０】
図１１は、本実施形態の音響発生装置１００とリモコン２００とを組み合わせた状態を例示する正面図である。  
また、図１２は、本実施形態の音響発生装置１００の細部を省略して概念的に表した斜視図である。  
また、図１３（ａ）〜（ｃ）は、本実施形態の音響発生装置１００をその上面、正面、下面からそれぞれ眺めた模式図である。
【００４１】
本具体例の音響発生装置１００は、リモコン２００を引っかけて収容する「リモコンハンガー」としての形態を有する。すなわち、この音響発生装置１００は、左側筺体部１００Ａと、右側筺体部１００Ｃと、これらの間に設けられた背板部１００Ｂと、を有する。左側筺体部１００Ａには、左側スピーカ１１８Ｌや電池などが収容されている。右側筺体部１００Ｃには、制御部１０２とともに右側スピーカ１１８Ｒが収容され、ＬＣＤ（液晶）表示部１４０、操作入力部１５０、人体検知センサ１６０などが適宜設けられる。
【００４２】
この音響発生装置１００は、トイレの壁面にビス止め固定され、リモコン２００は、背板部１００Ｂに設けられたハンガー１００Ｄ（図１３参照）に引っかけて保持される。この時、図１１に表したように、リモコン２００と、左右の筺体部１００Ａ、１００Ｃと、がほぼ連続的なパネル面を形成し、リモコン背面の背板部１００Ｂは殆ど見えない。また、左右の筺体部１００Ａ、１００Ｃは、配線により接続する必要があるが、この配線も背板部１００Ｂに沿って取り回すことにより、リモコン２００の背面に隠すことができる。つまり、本具体例によれば、意匠性に極めて優れた外観を形成できる。しかも、必要に応じてリモコン２００を自在に着脱できる。
【００４３】
ここで、図１１に表したリモコン２００について説明すると、このリモコンは、温水洗浄便座装置５００の動作を制御するためのスイッチ類を備え、例えば、おしり洗浄スイッチ２４１、温風乾燥スイッチ２４２、停止スイッチ２４３などが設けられている。また、水洗便器３００に洗浄水を流すための自動洗浄も可能とされ、大洗浄スイッチ２４４や小洗浄スイッチ２４５が設けられている。そして、赤外線ＬＥＤ（light emitting diode）を用いた送信部２０８が設けられ、温水洗浄便座装置５００へ信号Ｔｘが送信される。音響発生装置１００は、この信号Ｔｘを受信部１０６において傍受する。
【００４４】
図１４は、音響発生装置１００の受信部１０６を表した模式図である。すなわち、同図（ａ）及び（ｂ）は、図１３（ｂ）のＢ−Ｂ矢視図である。  
図１４から分かるように、リモコン２００の送信部２０８に対応して、右側筺体部１００Ｃの左側側面に受信部１０６が設けられている。本具体例の場合、リモコン２００は、赤外線により信号Ｔｘを送信するので、受信部１０６には、赤外線を検知する受光素子が内蔵されている。この受信部１０６は、リモコン２００の送信部２０８に隣接して設けられるので、信号Ｔｘを極めて確実且つ容易に傍受することができる。  
また、図１４に表したように、右側筺体部１００Ｃの左側側面には、メモリカードリーダ１１４が適宜設けられる。メモリカードリーダ１１４は、例えば、フラッシュメモリなどの半導体メモリを内蔵したメモリカードを挿入して格納されたデータを読み取ることができる。例えば、音楽や効果音、あるいは擬音や音声ガイドなどのデータをＭＰ３などのデータ形式でメモリカードに格納し、メモリカードリーダ１１４で読み取ることにより、再生することができる。
【００４５】
また、図１４に表したように、右側筺体部１００Ｃの左側側面には、ＤＣ（直流）電源入力端子１９０を設けることもできる。図１４（ａ）はこの入力端子１９０にＤＣ電源ジャック１９２を接続した状態を表す。ＤＣ電源ジャック１９２を介して外部電力を利用すれば、内蔵電池の消耗を気にすることなく長時間の使用が可能となる。  
なお、この入力端子１９０は、図１３（ｃ）に表したように、筺体部１００Ｃの側面底部に設けられた凹部１９４の中に設けられている。従って、図１４（ａ）に表したようにＤＣ電源ジャック１９２を挿入した状態において、電源ジャック１９２と干渉することなくリモコン２００を収容できる。なお、メモリカードリーダ１１４についても同様であり、メモリカードの突出を抑制することにより、メモリカードを挿入した状態において、メモリカードと干渉することなくリモコン２００を収容できる。
【００４６】
またこの場合、リモコン２００を収容した状態においては、メモリカードやＤＣ電源ジャック１９２がパネル面から隠れるため、外観がすっきりとして意匠性が低下することはなく、同時に、「いたずら」などを防ぐこともできる。
【００４７】
図１５は、右側筺体部１００Ｃの上部付近を拡大した模式図である。  
すなわち、リモコン２００を、筺体部１００Ｃに対してこのように隣接して収容することができる。この時、筺体部１００Ｃの上部左側面に設けられた受信部１０６（図１４参照）は、リモコンの送信部２０８に隣接している。従って、送信部２０８から温水洗浄便座装置５００に向けて送信される信号Ｔｘを極めて確実且つ容易に傍受できる。
【００４８】
また、図１５に例示した如く、筺体部１００Ｃに人体検知センサ１６０を設けてもよい。このような人体検知センサ１６０としては、例えば、焦電センサやドップラーセンサなどを用いることができ、トイレに接近する使用者を確実に検知することが可能となる。
【００４９】
また一方、図１５に表したように、操作入力部１５０には、再生、送り、戻し、モード選択、停止などの各種のスイッチが設けられ、使用者が好みの動作モードで好みのコンテンツを好みに応じて再生し停止できる。
【００５０】
図１６は、左側筺体部１００Ａに内蔵される電池ケースを取り出す状態を例示する模式図である。  
すなわち、左側筺体部１００Ａには、例えば、４本の単三電池を電池ケース１９６に収容して内蔵できる。この電池ケース１９６は、左側筺体部１００Ａの右側側面から矢印Ａの方向にスライドさせることにより取り出すことができる。そして、この場合も、リモコン２００を収容した状態においては、電池ケース１９６はパネル面から隠れるため、外観がすっきりとして意匠性が低下することはなく、同時に、「いたずら」などを防ぐこともできる。
【００５１】
図１７及び図１８は、本実施形態の音響発生装置１００の要部構成を例示するブロック図である。  すなわち、音響発生装置１００は、制御部としてのＣＰＵ（central processing unit）１０２を有し、受信部１０６及び送信部１０８（通信インタフェース）を介してリモコン２００や温水洗浄便座装置５００からの送信信号を傍受し、リモコン２００に信号を送信する。また、動作状態などがＬＣＤ表示部１４０に適宜表示され、使用者は、操作入力部１５０に設けられたスイッチ類を操作することにより、好みの動作を実行させることができる。  
また、音声発生の手段として、音声ＲＯＭ１１２、ラジオユニット１１３、メモリカードリーダ１１４などを適宜有する。これら音源からの信号はアンプ１１６により増幅されてスピーカ１１８から出力される。  
また、さらに、図１７に例示した如く、人体検知センサ１６０を設けることにより、使用者の接近を検知して音楽や効果音などを再生したり、使用者の退出を検知して再生を停止したり各種の設定（例えば、再生音量の設定値）をデフォルトに戻すことも可能となる。
【００５２】
また、図１８に例示した如く、照度センサ１６２を設けることにより、昼と夜とで再生音量を変化させることができる。例えば、使用者がトイレの明かりを点灯する前後の照度の変化を観察し、照度の変化が大きい場合は「夜」、照度の変化が小さい場合は「昼」と判断し、「夜」の場合には、より小さな音量で再生するように制御することも可能である。
【００５３】
一方、図１１乃至図１６に関して前述した具体例の場合、左右にスピーカ１１８Ｌ、１１８Ｒを有するので、ステレオ再生により音場感や拡がりが豊かな音楽再生が可能である。
【００５４】
図１９及び図２０は、トイレでステレオ再生する状態を例示する模式図である。  
すなわち、本具体例の音響発生装置１００は、リモコン２００を保持するリモコンハンガーとしての形態を有するので、通常の使用態様において、使用者１０の近傍の壁面に固定されることが多い。すると、図１９に表したようにトイレ９００の中で使用者１０が立った状態においても、あるいは、図２０に表したように、使用者１０が便座４１０に座った状態においても、使用者１０の周囲にステレオ音場を形成することが可能である。通常のトイレは、たたみ一畳程度の密閉空間であり、音響特性的には高い潜在性能を有する場合が多い。つまり、トイレ空間は、定位感や周波数特性に優れ、小さなスピーカを用いたステレオ再生でも、臨場感あふれる音場を形成することが可能である。そして、本発明によれば、このようなトイレにおけるステレオ再生に際して、使用者の周囲に効率的なステレオ音場を形成することが可能であり、複数のスピーカーからの出力を適宜切り替えることにより、常に自然な音場を提供することが可能となる。
【００５５】
またさらに、本発明によれば、使用者１０の近傍に効率的にステレオ音場を形成できるので、音声出力が小さくても十分に臨場感ある再生が可能であり、トイレから外部への「音漏れ」を防ぐこともできる。その結果として、深夜などの時間帯でも使用者はトイレにおいて豊かなステレオ再生による音楽や効果音などを楽しむことが可能となる。
【００５６】
一方、本発明によれば、温水洗浄便座装置などの操作に関する音声ガイドも提供できる。  図２１は、一例として音声エンジンを内蔵した音声ＲＯＭを設けた場合の動作を表す模式図である。  
すなわち、使用者がリモコン２００を操作すると、その内容に応じた信号Ｔｘが温水洗浄便座装置（ＷＬ）５００に送信される。音響発生装置１００は、この信号Ｔｘを傍受し、ＣＰＵ１０２がこの内容に応じて、効果音や音声ガイドあるいは警告音などを適宜再生させる。音声ガイドは、例えば通常の「おしり洗浄」などの機能の使用時においても便利であるが、それ以外の、例えば、初期設定や設定変更操作の時などに利用するとさらに便利である。
【００５７】
図２２は、リモコン２００の設定操作パネルを例示する模式図である。  
すなわち、リモコン２００は、その正面の蓋の内側に、各種の設定スイッチなどを設けたものとすることができる。例えば、「便器そうじ」スイッチ２６２、「ノズルそうじ」スイッチ２６４、「室暖入切」設定スイッチ２６６、「タイマー室暖」設定スイッチ２６８、「冷込防止」設定スイッチ２７０、「タイマー節電」設定スイッチ２７２、「おまかせ節電」設定スイッチ２７４、「オートふた開閉入切」設定スイッチ２７６、「オート流す入切」設定スイッチ２７８、「オートプレ洗浄入切」設定スイッチ２８０をはじめとする各種のスイッチが内蔵されている。
これらスイッチは、通常の洗浄などとはやや異なる機能や、温水洗浄便座装置の設定を制御するものである。例えば、「便器そうじ」スイッチ２６２を押すと、便器に洗浄水が流れ、その後、封水レベルが低下した状態が一定時間（例えば、３０秒間）維持される。この間に、便器のボウル面や封水貯留部をそうじすることができる。その後、自動的に洗浄水が流され、便器内がクリーニングされる。
このような各種の設定スイッチの操作は、頻繁には行わないため、そのスイッチの意味や操作の方法などがすぐに分からない場合がある。このような時に、適切な音声ガイドがあれば、取り扱い説明書を参照せずに初期設定や、設定変更操作を実行でき便利である。
【００５８】
本発明によれば、使用者がリモコン２００の設定スイッチを操作した時に、温水洗浄便座装置５００に送信される信号Ｔｘを音響発生装置１００に傍受させ、最適な音声ガイドを再生できる。以下、そのような音声ガイドの一例を表１に挙げる。
【表１】
2006138112.tif 000003
例えば、前述した「便器そうじ」スイッチが押された時には、音響発生装置１００がこれに対応して温水洗浄便座装置５００に送信する信号Ｔｘを傍受して、「便器内に水を流したあと、しばらくして便器内に水を溜めます。洗剤をご使用されたい場合は、このスイッチを押す前に、便器内に洗剤を塗布ください。」と音声ガイドを再生するようにすることができる。  
このように、それぞれのスイッチにより設定される機能の内容、設定の方法・手順などを音響発生装置１００から音声ガイドとして最適のタイミングで再生することができる。その結果として、使用者はいちいち取り扱い説明書を参照することなく初期設定や設定変更を容易且つ正確に実施でき、便利である。
【００５９】
図２３は、本実施形態の音響発生装置１００の使用状態を例示する模式図である。  
例えば、図２３（ａ）に表したように、使用者１０は、トイレに入室して音響発生装置１００を操作し、好みの音楽や効果音などを再生する。また、図１７などに関して前述したように、音響発生装置１００に人体検知部１６０が設けられている場合などは、使用者１０を検知して音楽などを自動的に再生することも可能である。
【００６０】
また、図２３（ｂ）に表したように、使用者１０が例えば、リモコン２００を操作して、便蓋４００の「オート開閉機能」を設定すると、音響発生装置１００が「オート開閉を設定しました」と音声ガイドを再生する。
【００６１】
そして、使用者１０が便器の使用を終えて、リモコン２００の例えば「大洗浄」スイッチを押すと、便器３００に洗浄水が流れるとともに、音響発生装置１００がこの信号Ｔｘを傍受して、音楽再生を停止する。そして、図２３（ｃ）に表したように、使用者１０がトイレを退出すると、オート開閉機能が動作して便蓋４００が自動的に閉まる。
【００６２】
以上説明したように、本発明によれば、使用者はトイレにおいて音楽や効果音などを随時楽しむことができ、また同時に、各種のスイッチ操作や設定の際に的確な音声ガイドによりスムーズ且つ容易な操作が可能となる。その結果として、快適で便利で且つ、どのような身体状態の使用者でも平等に取り扱うことができる「ユニバーサルデザイン」のトイレ環境を提供することが可能となる。
【００６３】
図２４は、本実施形態の変型例としての音響発生装置を表す模式図である。  
すなわち、図１１乃至図１６に関して前述したように、左右の筺体部１００Ａ、１００Ｃの間にリモコン２００をはさむように収容する構造とした場合、リモコン２００の横幅に応じて左右の筺体部１００Ａ、１００Ｃの間隔を可変とすると、既存の各種のサイズのリモコンに対応でき便利である。
【００６４】
そこで、本変型例においては、背板部１００Ｂを分割してスライド機構１００Ｅを設け、左右の筺体部１００Ａ、１００Ｃの間隔を可変とした。このようにすれば、既存の各種のリモコンの幅に合わせて音響発生装置１００を設置でき、外観がすっきりとして優れた意匠性が得られる。
【００６５】
なお、リモコンの機種によって、送信される信号Ｔｘの内容も異なる場合がある。これに対しては、音響発生装置１００に複数の動作モードを設けておき、組み合わせるリモコンの機種に応じて、これら複数の動作モードのうちの適切なものを初期設定の際に選択可能とすればよい。
【００６６】
以上、具体例を参照しつつ、本発明の実施の形態について説明した。しかし、本発明は、これらの具体例に限定されるものではない。例えば、図１１乃至図１６に関して前述した具体例においては、リモコンハンガーとしての音響発生装置を例に挙げたが、これ以外にも、例えば、トイレットペーパを保持するペーパホルダをはさんでその両側にスピーカを配置するように音響発生装置を形成してもよい。すなわち、温水洗浄便座装置などを制御するリモコンから送信される信号を傍受できる位置に設けることができれば、その形態や設置位置については、各種の変形が可能である。
【００６７】
また、本発明の音響発生装置を構成する制御部、音声発生部、受信部、送信部、人体検出部などの各要素については、当業者が適宜設計変更することにより本発明を同様に実施し、同様の効果を得ることができるものも本発明の要旨を含む限り、本発明の範囲に包含される。
【００６８】
その他、本発明の実施の形態として上述した音響発生装置及びこれを備えたトイレ用洗浄システムを基にして、当業者が適宜設計変更して実施しうるすべての音響発生装置及びこれを備えたトイレ用洗浄システムも同様に本発明の範囲に属する。
【図面の簡単な説明】
【００６９】
【図１】本発明の実施の形態にかかる音響発生装置を備えた水洗トイレの構成を例示する概念図である。
【図２】本発明の具体例のトイレ用洗浄システムのブロック図である。
【図３】本発明の音響発生装置を備えた水洗トイレの第２の具体例を例示する概念図である。
【図４】第２具体例のトイレ用洗浄システムのブロック図である。
【図５】本発明の音響発生装置を備えた水洗トイレの第３の具体例を例示する概念図である。
【図６】第３具体例のトイレ用洗浄システムのブロック図である。
【図７】音響発生装置１００に人体検知センサ１６０を設けた具体例のブロック図である。
【図８】本発明の音響発生装置を備えた水洗トイレの第４の具体例を例示する概念図である。
【図９】第４具体例のトイレ用洗浄システムのブロック図である。
【図１０】音響発生装置１００に人体検知センサ１６０を設けたブロック図である。
【図１１】本実施形態の音響発生装置１００とリモコン２００とを組み合わせた状態を例示する正面図である。
【図１２】本実施形態の音響発生装置１００の細部を省略して概念的に表した斜視図である。
【図１３】（ａ）〜（ｃ）は、本実施形態の音響発生装置１００をその上面、正面、下面からそれぞれ眺めた模式図である。
【図１４】音響発生装置１００の受信部１０６を表した模式図である。
【図１５】右側筺体部１００Ｃの上部付近を拡大した模式図である。
【図１６】左側筺体部１００Ａに内蔵される電池ケースを取り出す状態を例示する模式図である。
【図１７】本実施形態の音響発生装置１００の要部構成を例示するブロック図である。
【図１８】本実施形態の音響発生装置１００の要部構成を例示するブロック図である。
【図１９】トイレでステレオ再生する状態を例示する模式図である。
【図２０】トイレでステレオ再生する状態を例示する模式図である。
【図２１】一例として音声エンジンを内蔵した音声ＲＯＭを設けた場合の動作を表す模式図である。
【図２２】リモコン２００の設定操作パネルを例示する模式図である。
【図２３】本発明の実施形態の音響発生装置１００の使用状態を例示する模式図である。
【図２４】本発明の実施形態の変型例としての音響発生装置を表す模式図である。
【符号の説明】
【００７０】
１０ 使用者
１００ 音響発生装置
１００Ａ 左側筺体部
１００Ｂ 背板部
１００Ｃ 右側筺体部
１００Ｄ ハンガー
１００Ｅ スライド機構
１０２ 制御部
１０６ 受信部
１０８ 送信部
１１０ 音声発生部
１１３ ラジオユニット
１１４ メモリカードリーダ
１１６ アンプ
１１８Ｌ 左側スピーカ
１１８Ｒ 右側スピーカ
１４０ 表示部
１５０ 操作入力部
１６０ 人体検知部
１６２ 照度センサ
１９０ 電源入力端子
１９２ 電源ジャック
１９４ 凹部
１９６ 電池ケース
２００ リモコン
２０２ 制御部
２０８ 送信部
２１０ 受信部
２１２ 受信部
２４０ 操作入力部
２４１ 洗浄スイッチ
２４２ 温風乾燥スイッチ
２４３ 停止スイッチ
２４４ 大洗浄スイッチ
２４５ 小洗浄スイッチ
３００ 水洗便器
４００ 便蓋
４１０ 便座
５００ 温水洗浄便座装置
５１０ 受信部
５１２ 送信部
５２０ ノズル
９００ トイレ
【図１】
2006138112.tif 000004
【図２】
2006138112.tif 000005
【図３】
2006138112.tif 000006
【図４】
2006138112.tif 000007
【図５】
2006138112.tif 000008
【図６】
2006138112.tif 000009
【図７】
2006138112.tif 000010
【図８】
2006138112.tif 000011
【図９】
2006138112.tif 000012
【図１０】
2006138112.tif 000013
【図１１】
2006138112.tif 000014
【図１２】
2006138112.tif 000015
【図１３】
2006138112.tif 000016
【図１４】
2006138112.tif 000017
【図１５】
2006138112.tif 000018
【図１６】
2006138112.tif 000019
【図１７】
2006138112.tif 000020
【図１８】
2006138112.tif 000021
【図１９】
2006138112.tif 000022
【図２０】
2006138112.tif 000023
【図２１】
2006138112.tif 000024
【図２２】
2006138112.tif 000025
【図２３】
2006138112.tif 000026
【図２４】
2006138112.tif 000027